(57)【要約】【課題】  簡易な構成で、レンズ保持部の振動を確実に静定し得るレンズ駆動装置、光ピックアップ及び光ディスクドライブを提案しようとするものである。【解決手段】  対物レンズを保持するレンズ保持部と、レンズ保持部に設けられ当該レンズ保持部を駆動するコイルと、レンズ保持部を固定部に対して弾性支持する第１の支持手段と、レンズ保持部の振動を吸収するための慣性ダンパと、慣性ダンパをレンズ保持部にして弾性支持する第２支持手段とを設け、第１の支持手段を介してコイルに対して給電するようにした。そして、第１の支持手段を延伸して第２の支持手段を形成するようにした。【選択図】        図２
2006053955.tif 000002
【特許請求の範囲】
【請求項１】
対物レンズを保持するレンズ保持部と、
上記レンズ保持部に設けられ、当該レンズ保持部を駆動するコイルと、
上記レンズ保持部を固定部に対して弾性支持する第１の支持手段と、
上記レンズ保持部の振動を吸収するための慣性ダンパと、
上記慣性ダンパを上記レンズ保持部にして弾性支持する第２の支持手段と
を具え、
上記第１の支持手段を介して上記コイルに対して給電するようにした
ことを特徴とするレンズ駆動装置。
【請求項２】
上記第２の支持手段は、上記第１の支持手段を延伸して形成される
ことを特徴とする請求項１に記載のレンズ駆動装置。
【請求項３】
上記第２の支持手段を上記固定部まで延伸し、当該第２の支持手段の延伸部と上記第１の支持手段とで上記レンズ保持部を弾性支持するようにした
ことを特徴とする請求項１に記載のレンズ駆動装置。
【請求項４】
上記第２の支持手段の延伸部を介して上記コイルに対して給電するようにした
ことを特徴とする請求項３に記載のレンズ駆動装置。
【請求項５】
上記第２の支持手段のばね定数を、上記第１の支持手段のばね定数よりも小さく設定した
ことを特徴とする請求項１に記載のレンズ駆動装置。
【請求項６】
対物レンズを保持するレンズ保持部と、
上記レンズ保持部に設けられ、当該レンズ保持部を駆動するコイルと、
上記レンズ保持部を固定部に対して弾性支持する第１の支持手段と、
上記レンズ保持部の振動を吸収するための慣性ダンパと、
上記慣性ダンパを上記レンズ保持部にして弾性支持する第２の支持手段と
を具え、
上記第１の支持手段を介して上記コイルに対して給電するようにした
ことを特徴とする光ピックアップ。
【請求項７】
対物レンズを保持するレンズ保持部と、
上記レンズ保持部に設けられ、当該レンズ保持部を駆動するコイルと、
上記レンズ保持部を固定部に対して弾性支持する第１の支持手段と、
上記レンズ保持部の振動を吸収するための慣性ダンパと、
上記慣性ダンパを上記レンズ保持部にして弾性支持する第２支持手段と
を具え、
上記第１の支持手段を介して上記コイルに対して給電するようにした
ことを特徴とする光ディスクドライブ。
【発明の詳細な説明】
【技術分野】
【０００１】
本発明はレンズ駆動装置、光ピックアップ及び光ディスクドライブに関し、例えばＤＶＤ（Digital Versatile Disk）等の光ディスクを再生する光ディスクドライブに適用して好適なものである。
【背景技術】
【０００２】
従来、光ディスクドライブの光ピックアップは、レーザ光を照射及び受光するための対物レンズを備えたレンズ保持部を弾性支持し、レンズ保持部に設けたコイルに通電することにより当該レンズ保持部をトラッキング方向及びフォーカス方向に駆動するようになされている（例えば、特許文献１参照）。
【０００３】
図６は光ピックアップのレンズ駆動装置１の構成例を示し、対物レンズ２を備えたレンズ保持部（ボビンとも呼ぶ）３を、固定部４から延設された４本の線ばね５を介して弾性支持し、当該レンズ保持部３に設けられたトラッキング及びフォーカス用のコイル６に電流を流すことにより、当該コイル６とマグネット７との間に働く電磁力によってレンズ保持部３をトラッキング方向及びフォーカス方向に駆動するようになされている。
【特許文献１】特開平１０−７９１２８号公報
【発明の開示】
【発明が解決しようとする課題】
【０００４】
上述した構成のレンズ駆動装置１においては、駆動時におけるレンズ保持部３の振動静定を速くすることが読み取り速度の向上に寄与する。このため従来は、レンズ保持部３を弾性支持している４本の線ばね５に振動吸収効果を有する材料を塗布することにより振動静定速度を向上していた。
【０００５】
しかしながら、振動吸収材料を塗布する際のばらつきや周辺温度の変動によって振動吸収効果が変化してしまうとともに、振動吸収材料を塗布することによって製造工程が増加してしまうという問題があった。
【０００６】
本発明は以上の点を考慮してなされたもので、簡易な構成で、レンズ保持部の振動を確実に静定し得るレンズ駆動装置、光ピックアップ及び光ディスクドライブを提案しようとするものである。
【課題を解決するための手段】
【０００７】
かかる課題を解決するため本発明においては、対物レンズを保持するレンズ保持部と、
レンズ保持部に設けられ当該レンズ保持部を駆動するコイルと、レンズ保持部を固定部に対して弾性支持する第１の支持手段と、レンズ保持部の振動を吸収するための慣性ダンパと、慣性ダンパをレンズ保持部にして弾性支持する第２支持手段とを設け、第１の支持手段を介してコイルに対して給電するようにした。
【０００８】
そして、第１の支持手段を延伸して第２の支持手段を形成するようにした。
【０００９】
また本発明においては、第２の支持手段を固定部まで延伸し、当該第２の支持手段の延伸部と第１の支持手段とでレンズ保持部を弾性支持するようにした。そして、第２の支持手段の延伸部を介してコイルに対して給電するようにした。
【００１０】
これにより、簡易な構成で、製造工程におけるばらつきや周辺温度の変動の影響を受けることなくレンズ保持部の振動を確実に静定することができる。
【発明の効果】
【００１１】
本発明によれば、簡易な構成で、レンズ保持部の振動を確実に静定し得るレンズ駆動装置、光ピックアップ及び光ディスクドライブを実現することができる。
【発明を実施するための最良の形態】
【００１２】
以下図面について、本発明の一実施の形態を詳述する。
【００１３】
（１）光ディスクドライブの全体構成
図１において、１０は全体として光ディスクドライブを示し、制御部１１が光ディスクドライブ１０の各部を制御するようになされている。
【００１４】
すなわち制御部１１は、サーボ回路１２を介してスピンドルモータ１３を回転させ、ターンテーブル（図示せず）に載置された光ディスク１６を回転駆動する。また制御部１１は、サーボ回路１２を介して送りモータ１４を回転させ、光ピックアップ２０を光ディスク１６の半径方向に移動させる。さらに制御部１１は信号処理部１５を制御し、光ディスク１６に対するデータの読出及び書込を実行させる。
【００１５】
これに加えて制御部１１は光ピックアップ２０のレンズ駆動装置を制御し、当該光ピックアップ２０の対物レンズをトラッキング方向及びフォーカス方向に駆動する。
【００１６】
（２）レンズ駆動装置の構成
（２−１）第１の実施の形態のレンズ駆動装置
図６との対応部分に同一符号を付して示す図２において、２１は本発明の第１の実施の形態によるレンズ駆動装置を示し、対物レンズ２を備えたレンズ保持部３を、固定部４から延設された４本の線ばね２２を介して弾性支持し、当該レンズ保持部３に設けられたトラッキング及びフォーカス用のコイル６に電流を流すことにより、当該コイル６とマグネット７との間に働く電磁力によってレンズ保持部３をトラッキング方向及びフォーカス方向に駆動するようになされている。
【００１７】
これに加えて本実施例の線ばね２２は、固定部４からレンズ保持部３をさらに越えて延伸されており、この４本の線ばね２２の先端には慣性ダンパ２３が取り付けられている。この慣性ダンパ２３の材質は、鉛等の比重の大きく安価な固体が選定される。
【００１８】
これにより本発明のレンズ駆動装置２１においては、線ばね２２における固定部４とレンズ保持部３との間の第１の弾性支持部２２Ａを介して、当該レンズ保持部３が固定部４に対して弾性支持されるとともに、線ばね２２におけるレンズ保持部３と慣性ダンパ２３との間の第２の弾性支持部２２Ｂを介して、当該慣性ダンパ２３がレンズ保持部３に対して弾性支持される。
【００１９】
ここでレンズ駆動装置２１は、第１の支持手段としての第１の弾性支持部２２Ａ及びレンズ保持部３で構成される第１の振動系の共振周波数と、第２の支持手段としての第２の弾性支持部２２Ｂ及び慣性ダンパ２３で構成される第２の振動系の共振周波数とが略一致するように、レンズ保持部３及び慣性ダンパ２３の質量、並びに線ばね２２のばね定数が設定されている。
【００２０】
このためレンズ駆動装置２１は、その駆動時においてレンズ保持部３に振動が発生すると、これに応じて慣性ダンパ２３も同周波数かつ逆位相で振動し、当該慣性ダンパ２３の振動によってレンズ保持部３の振動が抑制され、これにより当該レンズ保持部３の振動静定時間を短縮することができる。
【００２１】
図３は、本発明のレンズ駆動装置２１におけるレンズ保持部３の振動特性及び従来のレンズ駆動装置におけるレンズ保持部の振動特性を示しており、従来のレンズ駆動装置では共振周波数の５０[Hz]付近にピークを有する１山特性を示しているのに対し、本発明のレンズ駆動装置２１では５０[Hz]付近に大きな谷を有する２山特性を示し、また従来のレンズ駆動装置に比べて変位のピーク値が低下している（すなわち振幅が減っている）ことがわかる。
【００２２】
ここで、レンズ保持部３に設けられたトラッキング及びフォーカス用のコイル６に給電するためには、計４本の給電線が必要となる。そして、このレンズ駆動装置２１では、計８本の線ばね５及び２２のうちの６本を介してコイル６に給電するようにしたことにより、当該コイル６に対する給電線を廃した。
【００２３】
以上の構成において、このレンズ駆動装置２１では、レンズ保持部３を弾性支持するための４本の線ばね２２を、当該レンズ保持部３を越えて延伸し、その先端に慣性ダンパ２３を取り付けて当該慣性ダンパ２３を弾性支持し、レンズ保持部３の共振周波数と慣性ダンパ２３の共振周波数とが略一致するようにした。
【００２４】
このためレンズ駆動装置２１では、駆動時におけるレンズ保持部３の振動を慣性ダンパ２３で抑制することができ、これにより、従来の振動抑制方法の欠点である振動吸収材料を塗布する際のばらつきや周辺温度の変動を原因とする振動吸収効果の変化を無くし、常に安定した振動抑制効果を得ることができる。
【００２５】
また、レンズ保持部３を弾性支持するための４本の線ばね２２を延伸して慣性ダンパ２３も弾性支持するようにしたことにより、当該慣性ダンパ２３以外には部品点数の増加が無く、さらに、４本の線ばね２２を介してコイル６に給電するようにしたことにより、当該コイル６に対する給電線を廃することができ、かくしてレンズ駆動装置２１全体の構成を簡略化することができる。
【００２６】
以上の構成によれば、レンズ保持部３を弾性支持するための線ばね２２を延伸して、レンズ保持部３の振動を抑制する慣性ダンパ２３を弾性支持するとともに、当該線ばね２２を介してコイル６に給電するようにしたことにより、簡易な構成で、レンズ保持部の振動を確実に静定し得るレンズ駆動装置を実現できる。
【００２７】
（２−２）第２の実施の形態のレンズ駆動装置
図１及び図６との対応部分に同一符号を付して示す図３において、３１は本発明の第２の実施の形態によるレンズ駆動装置を示し、レンズ保持部３２を弾性支持する第１の支持手段としての４本の線ばね５と、レンズ保持部３及び慣性ダンパ２３を弾性支持する第２の支持手段としての４本の線ばね２２とが併設されている点に特徴がある。
【００２８】
これによりレンズ駆動装置３１では、レンズ保持部３２は線ばね５と、線ばね２２の第１の弾性支持部２２Ａの双方によって弾性支持され、慣性ダンパ２３は線ばね２２の第２の弾性支持部２２Ｂによって弾性支持されるようになされている。
【００２９】
そしてこのレンズ駆動装置３１では、線ばね５及び第１の弾性支持部２２Ａ並びにレンズ保持部３２で構成される第１の振動系の共振周波数と、第２の弾性支持部２２Ｂ及び慣性ダンパ２３で構成される第２の振動系の共振周波数とが略一致するように、レンズ保持部３及び慣性ダンパ２３の質量、並びに線ばね２２のばね定数が設定されている。
【００３０】
このためレンズ駆動装置３１は、その駆動時においてレンズ保持部３２に振動が発生すると、これに応じて慣性ダンパ２３も同周波数かつ逆位相で振動し、当該慣性ダンパ２３の振動によってレンズ保持部３２の振動が抑制され、これにより当該レンズ保持部３２の振動静定時間を短縮することができる。
【００３１】
これに加えてレンズ駆動装置３１では、線ばね２２のばね定数を線ばね５に比べて小さく設定しており、これにより、上述した第１の実施の形態に比べて慣性ダンパ２３の質量を軽減している。
【００３２】
かかる構成に加えてこのレンズ駆動装置３１では、図示しないスキュー用コイルがレンズ保持部３２に設けられており、これにより当該レンズ駆動装置３１は、レンズ保持部３２をトラッキング方向、フォーカス方向及びスキュー方向に駆動し得る３軸アクチュエータを形成している。そして、レンズ保持部３２が有するトラッキング、フォーカス及びスキュー用の各コイルに給電するためには計６本の給電線が必要となるが、このレンズ駆動装置３１では、計８本の線ばね５及び２２のうちの６本を介してコイル６に給電するようにしたことにより、当該コイル６に対する給電線を廃した。
【００３３】
以上の構成において、このレンズ駆動装置３１では、４本の線ばね５及び４本の線ばね２２を併設し、線ばね５及び線ばね２２の第１の弾性支持部２２Ａの双方でレンズ保持部３２を弾性支持するとともに、線ばね２２の第２の弾性支持部２２Ｂで慣性ダンパ２３を弾性支持して、レンズ保持部３２の共振周波数と慣性ダンパ２３の共振周波数とが略一致するようにした。これにより、駆動時におけるレンズ保持部３２の振動を慣性ダンパ２３で抑制して、常に安定した振動抑制効果を得ることができる。
【００３４】
また、レンズ保持部３に設けられたトラッキング、フォーカス及びスキュー用の各コイルに対して、線ばね５及び線ばね２２を介して給電するようにしたことにより各コイルに対する給電線を廃し、これによりスキュー制御を行い得る高機能な光ピックアップの構成を簡素化することができる。
【００３５】
以上の構成によれば、線ばね５及び線ばね２２の双方でレンズ保持部３２を弾性支持するとともに、線ばね２２で慣性ダンパ２３を弾性支持し、さらに線ばね５及び線ばね２２を介してレンズ保持部３の各コイルに給電するようにしたことにより、簡易な構成で、レンズ保持部の振動を確実に静定し得るレンズ駆動装置を実現できる。
【００３６】
なお、上述したレンズ駆動装置３１においては、レンズ保持部３２に設けられたトラッキング、フォーカス及びスキュー用の各コイルに対して、８本の線ばね５及び２２のうちの６本を介して給電するようにしたが、本発明はこれに限らず、当該レンズ保持部３２に設けられている他の機能部品に対して、８本の線ばね５及び２２のうちの残りの２本を介して給電するようにしてもよい。この給電対象となる機能部品の例としては、例えばレンズ保持部３２をチルト方向に駆動するためのコイルや、対物レンズ２の球面収差を補正するための液晶素子等が考えられる。
【００３７】
（３）他の実施の形態
なお上述の第１及び第２の実施の形態においては、慣性ダンパ２３の材質として鉛等の比重の大きな固体を用いたが、本発明はこれに限らず、例えば密封容器の中に水等の液体を封入したものを慣性ダンパ２３として用いるようにしても良い。
【００３８】
また上述の第１及び第２の実施の形態においては、慣性ダンパ２３を、レンズ保持部３又は３２を挟んで固定部４の反対側に配置する（言い換えれば、慣性ダンパ２３をレンズ保持部３の先に配置する）ようにしたが、本発明はこれに限らず、図５に示すレンズ駆動装置４１のように、慣性ダンパ２３をレンズ保持部３と固定部４の間に配置するようにしても良い。
【産業上の利用可能性】
【００３９】
本発明は、各種の光ディスクドライブに適用できる。
【図面の簡単な説明】
【００４０】
【図１】光ディスクドライブの全体構成を示すブロック図である。
【図２】第１の実施の形態のレンズ駆動装置の構成を示す略線的斜視図である。
【図３】レンズ保持部の振動特性を示す特性曲線図である。
【図４】第２の実施の形態のレンズ駆動装置の構成を示す略線的斜視図である。
【図５】他の実施の形態のレンズ駆動装置の構成を示す略線的斜視図である。
【図６】従来のレンズ駆動装置の構成を示す略線的斜視図である。
【符号の説明】
【００４１】
１、２１、３１、４１……レンズ駆動装置、２……対物レンズ、３、３２……レンズ保持部、４……固定部、５、２２……線ばね、６……コイル、７……マグネット。
【図１】
2006053955.tif 000003
【図２】
2006053955.tif 000004
【図３】
2006053955.tif 000005
【図４】
2006053955.tif 000006
【図５】
2006053955.tif 000007
【図６】
2006053955.tif 000008